(57)【要約】  フェムト基地局における携帯電話の在圏情報を用いて、ＰＣなどの情報端末を用いたインターネットへのアクセスを柔軟に制御する。  １以上の携帯電話１と、携帯電話と無線による通信を行うフェムト基地局３と、フェムト基地局３と接続されるブロードバンドルータ４と、ブロードバンドルータ４と接続される携帯電話網のゲートウェイ９と、ブロードバンドルータ４に接続され、インターネットへのアクセスを行う１以上の情報端末５とを含み、フェムト基地局３が、フェムトセル圏内６における携帯電話の在圏状態を検出する在圏情報管理手段３０と、携帯電話１の在圏状態に基づいて情報端末５に対するアクセス制御ルールを特定するアクセス制御設定手段３１と、ブロードバンドルータ４が、アクセス制御設定手段３１からのアクセス制御ルールに基づいて情報端末５によるアクセスを制御するアクセス制御実行手段４０を備えるアクセス制御システムを提供する。
2012114922.tif 000002
【特許請求の範囲】
【請求項１】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含み、
前記フェムト基地局が、
フェムトセル圏内における前記携帯電話の在圏状態を検出する在圏情報管理手段と、
携帯電話の在圏状態に基づいて前記情報端末に対するアクセス制御ルールを特定するアクセス制御設定手段を備え、
前記ブロードバンドルータが、
前記アクセス制御設定手段からのアクセス制御ルールに基づいて前記情報端末によるアクセスを制御するアクセス制御実行手段を備える
ことを特徴とするアクセス制御システム。
【請求項２】
前記フェムト基地局が、
フェムトセル圏内に在圏可能な前記携帯電話の情報を記憶する登録端末記憶手段と、
前記携帯電話の在圏状態に対応して前記情報端末がアクセス可能なアクセス先を前記アクセス制御ルールとして記憶するアクセス制御ルール記憶手段を備え、
前記アクセス制御設定手段は、
前記携帯電話の在圏状態に応じた前記アクセス制御ルールを前記アクセス制御ルール記憶手段から特定することを特徴とする請求項１に記載のアクセス制御システム。
【請求項３】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含み、
前記フェムト基地局が、
フェムトセル圏内における前記携帯電話の在圏状態を検出する在圏情報管理手段を備え、
前記ゲートウェイが、
携帯電話の在圏状態に基づいて前記情報端末に対するアクセス制御ルールを特定するアクセス制御設定手段を備え、
前記ブロードバンドルータが、
前記アクセス制御設定手段からのアクセス制御ルールに基づいて前記情報端末によるアクセスを制御するアクセス制御実行手段を備える
ことを特徴とするアクセス制御システム。
【請求項４】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含み、
前記フェムト基地局が、
フェムトセル圏内における前記携帯電話の在圏状態を検出する在圏情報管理手段を備え、
前記フェムト基地局又は前記ゲートウェイが、
携帯電話の在圏状態に基づいて前記情報端末に対するアクセス制御ルールを特定するアクセス制御設定手段を備え、
前記情報端末が、
前記アクセス制御設定手段からのアクセス制御ルールに基づいて前記情報端末によるアクセスを制御するアクセス制御実行手段を備える
ことを特徴とするアクセス制御システム。
【請求項５】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステムのアクセス制御方法であって、
前記フェムト基地局が、
フェムトセル圏内における前記携帯電話の在圏状態を検出し、
携帯電話の在圏状態に基づいて前記情報端末に対するアクセス制御ルールを特定し、
前記ブロードバンドルータが、
特定したアクセス制御ルールに基づいて前記情報端末によるアクセスを制御する
ことを特徴とするアクセス制御方法。
【請求項６】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステムのアクセス制御方法であって、
前記フェムト基地局が、
フェムトセル圏内における前記携帯電話の在圏状態を検出し、
前記ゲートウェイが、
携帯電話の在圏状態に基づいて前記情報端末に対するアクセス制御ルールを特定し、
前記ブロードバンドルータが、
特定したアクセス制御ルールに基づいて前記情報端末によるアクセスを制御する
ことを特徴とするアクセス制御方法。
【請求項７】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステムのアクセス制御方法であって、
前記フェムト基地局が、
フェムトセル圏内における前記携帯電話の在圏状態を検出し、
前記フェムト基地局又は前記ゲートウェイが、
携帯電話の在圏状態に基づいて前記情報端末に対するアクセス制御ルールを特定し、
前記情報端末が、
前記アクセス制御設定手段からのアクセス制御ルールに基づいて前記情報端末によるアクセスを制御する
ことを特徴とするアクセス制御方法。
【請求項８】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステム上でアクセス制御を行うアクセス制御プログラムであって、
前記フェムト基地局に、
フェムトセル圏内における前記携帯電話の在圏状態を検出する処理と、
携帯電話の在圏状態に基づいて前記情報端末に対するアクセス制御ルールを特定する処理を実行させ、
前記ブロードバンドルータに、
特定したアクセス制御ルールに基づいて前記情報端末によるアクセスを制御する処理を実行させる
ことを特徴とするアクセス制御プログラム。
【請求項９】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステム上でアクセス制御を行うアクセス制御プログラムであって、
前記フェムト基地局に、
フェムトセル圏内における前記携帯電話の在圏状態を検出する処理を実行させ、
前記ゲートウェイに、
携帯電話の在圏状態に基づいて前記情報端末に対するアクセス制御ルールを特定する処理を実行させ、
前記ブロードバンドルータに、
特定したアクセス制御ルールに基づいて前記情報端末によるアクセスを制御する処理を実行させる
ことを特徴とするアクセス制御プログラム。
【請求項１０】
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステム上でアクセス制御を行うアクセス制御プログラムであって、
前記フェムト基地局に、
フェムトセル圏内における前記携帯電話の在圏状態を検出する処理を実行させ、
前記フェムト基地局又は前記ゲートウェイに、
携帯電話の在圏状態に基づいて前記情報端末に対するアクセス制御ルールを特定する処理を実行させ、
前記情報端末に、
前記アクセス制御設定手段からのアクセス制御ルールに基づいて前記情報端末によるアクセスを制御する処理を実行させる
ことを特徴とするアクセス制御プログラム。
【発明の詳細な説明】
【技術分野】
【０００１】
本発明は、ＰＣ（Ｐｅｒｓｏｎａｌ  ｃｏｍｐｕｔｅｒ）などの情報端末を用いたインターネットへのアクセスを制御する技術に関し、特に、超小型の携帯電話向け基地局（フェムト基地局）における携帯電話の在圏情報を用いた柔軟なアクセス制御技術に関する。
【背景技術】
【０００２】
近年、フェムト基地局と呼ばれる超小型の携帯電話向け基地局が実用化されている。屋外に設置されるマクロ基地局は半径数キロメートルの大きな圏内エリアを有するのに対し、フェムト基地局は家庭の宅内などに設置され、半径数十メートル程度の小さな圏内エリアを有している。【０００３】
また、マクロ基地局は携帯電話事業者が保有する携帯電話網に直接接続されるのに対し、フェムト基地局は宅内のＰＣなどの情報端末も接続されるＢＢ（ＢｒｏａｄＢａｎｄ：ブロードバンド）ルータに接続され、ＩＰネットワークを経由して携帯電話事業者が保持する携帯電話網内に設置されているＲＡＮ−ＧＷ（Ｒａｄｉｏ  Ｎｅｔｗｏｒｋ  Ｇａｔｅｗａｙ）という装置に接続される。【０００４】
マクロ基地局もフェムト基地局も、携帯電話用の電波を用いて携帯電話と無線で通信を行う。【０００５】
携帯電話がフェムト基地局に在圏するか否かに応じて、クレジットカード決済端末やデジタルペンなどの、携帯電話用の周辺機器の利用を許可または拒否するアクセス制御を行う方法が、特許文献１に開示されている。【０００６】
また、複数の携帯電話がフェムト基地局に在圏するか否かに応じて、家の玄関の鍵を閉める、部屋の照明を消すなどの遠隔制御を行う方法が、特許文献２に開示されている。【０００７】
さらに、関連技術として、携帯電話がフェムトセルのサービス可能エリアに在圏するか否かを識別する技術が特許文献３に記載されている。【０００８】
また、フェムトセル基地局を利用することができる移動端末の識別番号ごとにウェブサーバへのアクセス制御を管理する技術が特許文献４に記載されている。
【先行技術文献】
【特許文献】
【０００９】
【特許文献１】特開２００９−１８８６２９号公報
【特許文献２】特開２００８−２８３６４８号公報
【特許文献３】特開２００９−２７１８４２号公報
【特許文献４】特開２０１０−２０００７３号公報
【発明の概要】
【発明が解決しようとする課題】
【００１０】
背景技術における課題は、フェムト基地局における携帯電話の在圏情報を用いて、ＰＣなどの情報端末を用いたインターネットへのアクセスを柔軟に制御できないことである。【００１１】
その理由は、特許文献１では、携帯電話用の周辺機器の利用が許可されるか拒否されるかのどちらかであり、アクセス制御の結果が「ＯＫ」か「ＮＧ」かの二値となっているためである。【００１２】
そのため、特許文献１の方法を、情報端末を用いたインターネットへのアクセスの制御のために用いると、「全てのＵＲＬに一切アクセス不能」とするか「全てのＵＲＬにアクセス可能」とするような制御になってしまい、柔軟なアクセス制御ができない。【００１３】
また、特許文献２では、情報端末を用いたインターネットへのアクセスに対する制御について一切記載がないため、当業者が特許文献２を参照したとしても柔軟なアクセス制御方法を想到することはできない。【００１４】
なお、特許文献３及び特許文献４の発明を組み合わせても、アクセス制御の対象となるのはフェムト基地局を経由する携帯電話だけであり、フェムト基地局を経由せずＢＢルータ経由でＩＰネットワークにアクセスできる情報端末に対するアクセス制御方法については一切記載されていない。【００１５】
（発明の目的）
本発明の目的は、上述した課題を解決し、フェムト基地局における携帯電話の在圏情報を用いて、ＰＣなどの情報端末を用いたインターネットへのアクセスを柔軟に制御するアクセス制御システム、アクセス制御方法、アクセス制御プログラムを提供することである。
【課題を解決するための手段】
【００１６】
本発明の第１のアクセス制御システムは、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含み、フェムト基地局が、フェムトセル圏内における携帯電話の在圏状態を検出する在圏情報管理手段と、携帯電話の在圏状態に基づいて情報端末に対するアクセス制御ルールを特定するアクセス制御設定手段を備え、ブロードバンドルータが、アクセス制御設定手段からのアクセス制御ルールに基づいて情報端末によるアクセスを制御するアクセス制御実行手段を備える。【００１７】
本発明の第２のアクセス制御システムは、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含み、フェムト基地局が、フェムトセル圏内における携帯電話の在圏状態を検出する在圏情報管理手段を備え、ゲートウェイが、携帯電話の在圏状態に基づいて情報端末に対するアクセス制御ルールを特定するアクセス制御設定手段を備え、ブロードバンドルータが、アクセス制御設定手段からのアクセス制御ルールに基づいて情報端末によるアクセスを制御するアクセス制御実行手段を備える。【００１８】
本発明の第３のアクセス制御システムは、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含み、フェムト基地局が、フェムトセル圏内における携帯電話の在圏状態を検出する在圏情報管理手段を備え、フェムト基地局又はゲートウェイが、携帯電話の在圏状態に基づいて情報端末に対するアクセス制御ルールを特定するアクセス制御設定手段を備え、情報端末が、アクセス制御設定手段からのアクセス制御ルールに基づいて情報端末によるアクセスを制御するアクセス制御実行手段を備える。【００１９】
本発明の第１のアクセス制御方法は、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含むシステムのアクセス制御方法であって、フェムト基地局が、フェムトセル圏内における携帯電話の在圏状態を検出し、携帯電話の在圏状態に基づいて情報端末に対するアクセス制御ルールを特定し、ブロードバンドルータが、特定したアクセス制御ルールに基づいて情報端末によるアクセスを制御する。【００２０】
本発明の第２のアクセス制御方法は、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含むシステムのアクセス制御方法であって、フェムト基地局が、フェムトセル圏内における携帯電話の在圏状態を検出し、ゲートウェイが、携帯電話の在圏状態に基づいて情報端末に対するアクセス制御ルールを特定し、ブロードバンドルータが、特定したアクセス制御ルールに基づいて情報端末によるアクセスを制御する。【００２１】
本発明の第３のアクセス制御方法は、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含むシステムのアクセス制御方法であって、フェムト基地局が、フェムトセル圏内における携帯電話の在圏状態を検出し、フェムト基地局又はゲートウェイが、携帯電話の在圏状態に基づいて情報端末に対するアクセス制御ルールを特定し、情報端末が、アクセス制御設定手段からのアクセス制御ルールに基づいて情報端末によるアクセスを制御する。【００２２】
本発明の第１のアクセス制御プログラムは、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含むシステム上でアクセス制御を行うアクセス制御プログラムであって、フェムト基地局に、フェムトセル圏内における携帯電話の在圏状態を検出する処理と、携帯電話の在圏状態に基づいて情報端末に対するアクセス制御ルールを特定する処理を実行させ、ブロードバンドルータに、特定したアクセス制御ルールに基づいて情報端末によるアクセスを制御する処理を実行させる。【００２３】
本発明の第２のアクセス制御プログラムは、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含むシステム上でアクセス制御を行うアクセス制御プログラムであって、フェムト基地局に、フェムトセル圏内における携帯電話の在圏状態を検出する処理を実行させ、ゲートウェイに、携帯電話の在圏状態に基づいて情報端末に対するアクセス制御ルールを特定する処理を実行させ、ブロードバンドルータに、特定したアクセス制御ルールに基づいて情報端末によるアクセスを制御する処理を実行させる。【００２４】
本発明の第３のアクセス制御プログラムは、１以上の携帯電話と、携帯電話と無線による通信を行うフェムト基地局と、フェムト基地局と接続されるブロードバンドルータと、ブロードバンドルータと接続される携帯電話網のゲートウェイと、ブロードバンドルータに接続され、インターネットへのアクセスを行う１以上の情報端末とを含むシステム上でアクセス制御を行うアクセス制御プログラムであって、フェムト基地局に、フェムトセル圏内における携帯電話の在圏状態を検出する処理を実行させ、フェムト基地局又はゲートウェイに、携帯電話の在圏状態に基づいて情報端末に対するアクセス制御ルールを特定する処理を実行させ、情報端末に、アクセス制御設定手段からのアクセス制御ルールに基づいて情報端末によるアクセスを制御する処理を実行させる。
【発明の効果】
【００２５】
本発明によれば、フェムト基地局における携帯電話の在圏情報を用いて、ＰＣなどの情報端末を用いたインターネットへのアクセスを柔軟に制御することができる。【００２６】
その理由は、ユーザＡやユーザＢが利用する携帯電話の在圏情報を用いて、ユーザＣが利用する情報端末がアクセス可能なＷｅｂサイトの数を柔軟に変更できるからである。
【図面の簡単な説明】
【００２７】
【図１】本発明の第１の実施の形態によるアクセス制御システムのネットワーク構成を示す図である。
【図２】第１の実施の形態によるアクセス制御システムの構成を示すブロック図である。
【図３】第１の実施の形態による登録端末記憶手段の格納例を示す図である。
【図４】第１の実施の形態によるアクセス制御ルール記憶手段の格納例を示す図である。
【図５】第１の実施の形態によるアクセス履歴記憶手段の格納例を示す図である。
【図６】第１の実施の形態によるアクセス制御システムの動作を示すフローチャートである。
【図７】第１の実施の形態によるアクセス制御システムの動作を示すフローチャートである。
【図８】本発明の第１の実施の形態によるアクセス制御システムの構成を示すブロック図である。
【図９】第２の実施の形態によるアクセス制御システムの動作を示すフローチャートである。
【発明を実施するための形態】
【００２８】
本発明の上記及び他の目的、特徴及び利点を明確にすべく、添付した図面を参照しながら、本発明の実施形態を以下に詳述する。なお、上述の本願発明の目的のほか、他の技術的課題、その技術的課題を解決する手段及びその作用効果についても、以下の実施形態による開示によって明らかとなるものである。
【００２９】
なお、すべての図面において、同様な構成要素には同様の符号を付し、適宜説明を省略する。
【００３０】
（第１の実施の形態）
本発明の第１の実施の形態について、図面を参照して詳細に説明する。以下の図において、本発明の本質に関わらない部分の構成については適宜省略してあり、図示されていない。
【００３１】
図１及び図２は、本発明の第１の実施の形態によるアクセス制御システム１００の構成を示すブロック図である。
【００３２】
図１を参照すると、本実施の形態によるアクセス制御システム１００は、家庭の宅内でフェムトセル圏内エリア６を持つフェムト基地局３に、携帯電話１（１−１、１−２）が携帯電話用の電波を用いて無線で接続されている。
【００３３】
また、フェムト基地局３と情報端末５とがＢＢルータ４に接続されており、ＩＰネットワーク７０はＢＢルータ４と携帯電話事業者が保有する携帯電話網８内のＲＡＮ−ＧＷ（Ｒａｄｉｏ  Ｎｅｔｗｏｒｋ  Ｇａｔｅｗａｙ）９と接続されている。
【００３４】
情報端末５は、パーソナルコンピュータ（ＰＣ）、携帯型コンピュータ（ＰＤＡ）、携帯電話、スマートフォン、固定電話、街頭マルチメディア端末、車載端末、ネットワーク接続機能付きテレビ、ネットワーク接続機能付きセットトップボックス、ゲーム機、ネットワーク接続機能付きプリンタ、ネットワーク接続機能付きスキャナ等、外部と情報をやり取りする機能を備えたその他の類似装置であってよい。
【００３５】
以下では、例として、親、成人した大学生の兄、未成年で中学生の弟から構成される家族を想定し、親が携帯電話１−１を、兄が携帯電話１−２を、弟が情報端末５を利用することを前提として説明する。説明の簡単さのために携帯電話２台と情報端末１台を用いて説明するが、携帯電話は３台以上あってもよいし、情報端末は２台以上あってもよい。
【００３６】
フェムト基地局３は、携帯電話１の在圏情報を検出する在圏情報管理手段３０と、携帯電話１の在圏情報に基づいて情報端末５に対するアクセス制御の設定を行うアクセス制御設定手段３１と、情報端末５によるアクセスの状況を携帯電話１に通知するアクセス状況通知手段３２と、フェムト基地局３に在圏可能な携帯電話の情報を記憶する登録端末記憶手段３３と、情報端末５に対するアクセス制御のルールを記憶するアクセス制御ルール記憶手段３４と、情報端末５によるアクセス履歴を記憶するアクセス履歴記憶手段３５とを含む。
【００３７】
登録端末記憶手段３３は、フェムト基地局３を識別するためのフェムト基地局ＩＤ５０と、フェムト基地局３に在圏可能な携帯電話の電話番号である登録端末ＩＤ５１と、登録された携帯電話の在圏状態である在圏状態５２と、アクセス制御のルールを変更する権限の有無を示す設定変更権限５３と、携帯電話がフェムト基地局３の圏外にある場合に情報端末５によるアクセス履歴の通知を受けるか否かを示す不在時通知５４とを、登録端末の情報として表形式で格納する。
【００３８】
アクセス制御ルール記憶手段３４は、フェムト基地局３を識別するためのフェムト基地局ＩＤ６０と、在圏状態にある携帯電話の登録端末ＩＤ５１のリストである在圏端末ＩＤリスト６１と、情報端末５によるアクセスを許可するＵＲＬのリストであるアクセス可能ＵＲＬリスト６２とを、アクセス制御ルールの情報として表形式で格納する。
【００３９】
アクセス履歴記憶手段３５は、情報端末５がアクセスを試みたＵＲＬであるアクセスＵＲＬ７０と、該アクセスを試みた時刻であるアクセス時刻７１と、アクセス制御の結果であるアクセス制御結果７２とを、アクセス履歴の情報として表形式で格納する。
【００４０】
ＢＢルータ４は、携帯電話１の在圏情報に基づいて情報端末５に対するアクセス制御の実行を行うアクセス制御実行手段４０を含む。
【００４１】
（第１の実施の形態の動作の説明）
次に、本実施の形態によるアクセス制御システム１００の動作について、図面を参照して詳細に説明する。
【００４２】
なお、前提条件として、ユーザＡが利用する携帯電話１−１とユーザＢが利用する携帯電話１−２がフェムト基地局３に在圏可能な端末として登録済み、つまり、携帯電話１−１と携帯電話１−２の電話番号は登録端末ＩＤ５１に登録済みであるとする。
【００４３】
また、ユーザＢの設定変更権限５３は「有り」であり、ユーザＢの不在時通知５４として通知先の携帯電話２のメールアドレスが登録済みであるとする。
【００４４】
また、各在圏端末ＩＤリスト６１に対応するアクセス可能ＵＲＬリスト６２は登録済みである。
【００４５】
図６、図７は、本実施の形態によるアクセス制御システム１００の動作を示すフローチャートである。
【００４６】
図６を参照すると、まず、在圏情報管理手段３０が、携帯電話１のマクロ基地局３からのハンドオーバ要求を処理することで、該携帯電話１のフェムトセル在圏エリア６への在圏を検出し（ステップＳ６０１）、検出した携帯電話に対応する在圏状態５２を「圏外」から「在圏」に更新する（ステップＳ６０２）。
【００４７】
次いで、アクセス制御設定手段３１が、在圏状態５２が「在圏」となっている登録端末ＩＤ５１をリストとして抽出し、該リストとマッチする在圏端末ＩＤリスト６１を特定する（ステップＳ６０３）。
【００４８】
次に、アクセス制御設定手段３１は、特定した在圏端末ＩＤリスト６１に対応するアクセス可能ＵＲＬリスト６２を、ＢＢルータ４のアクセス制御実行手段４０に送信する（ステップＳ６０４）。
【００４９】
次いで、アクセス制御実行手段４０が、ユーザＣの操作による情報端末５からインターネットのＷｅｂサイトへのアクセス要求を検出するまで待機する（ステップＳ６０５、Ｓ６０６）。
【００５０】
アクセス要求を検出すると（ステップＳ６０６”ＹＥＳ”）、ＢＢルータ４のアクセス制御実行手段４０は、検出したアクセス要求のＩＰパケットの中身を参照してＵＲＬを特定し（ステップＳ６０７）、ステップＳ６０４で受信したアクセス可能ＵＲＬリスト６２に含まれるＵＲＬのいずれかが、該特定したＵＲＬに前方一致するかを確認する（ステップＳ６０８）。
【００５１】
アクセス制御実行手段４０は、前方一致した場合にはアクセスを許可し（ステップＳ６０９”ＹＥＳ”、Ｓ６１０）、前方一致しない場合にはアクセスを拒否する（ステップＳ６０９”ＮＯ”、Ｓ６１１）。
【００５２】
例えば、アクセス可能ＵＲＬリスト６２に含まれるＵＲＬのいずれかに”ｈｔｔｐ：／／ａａａ．ｃｏｍ／ｂｂｂ”があり、該特定したＵＲＬが”ｈｔｔｐ：／／ａａａ．ｃｏｍ／ｂｂｂ／ｘｙｚ．ｈｔｍｌ”である場合には、前者ＵＲＬが後者ＵＲＬに含まれる（すなわち前方一致する）ため、アクセスが許可される。
【００５３】
そして、アクセス制御実行手段４０は、該特定したＵＲＬをアクセスＵＲＬ７０に、アクセス要求を受信した時刻をアクセス時刻７１に、アクセス制御の結果をアクセス制御結果７２に、それぞれ格納する（ステップＳ６１２）。
【００５４】
次いで、アクセス状況通知手段３２が、不在時通知５４に登録されているメールアドレスがあるか調査し（ステップＳ６１３）、１つも登録されていない場合には処理を終了する（ステップＳ６１３”ＮＯ”）。
【００５５】
不在時通知５４に１つ以上メールアドレスが登録されている場合（ステップＳ６１３”ＹＥＳ”）アクセス状況通知手段３２は、登録されているメールアドレスの全てに対して、ステップＳ６１２で記録したアクセスＵＲＬ７０とアクセス時刻７１とアクセス制御結果７２とを、電子メールで通知する（ステップＳ６１４）。
【００５６】
ここで、通知するタイミングは、情報端末５からのアクセス要求を検出する度に通知してもよいし、数時間に１回などの所定の間隔で未通知のアクセス履歴が溜まっているか調査して溜まっている場合に通知してもよい。
【００５７】
以上の動作を行うことで、ユーザＡやユーザＢが利用する携帯電話の在圏情報を用いて、ユーザＣが利用する情報端末がアクセス可能なＷｅｂサイトの数を柔軟に変更できる。
【００５８】
なお、設定変更権限５３が「有り」で登録されている携帯電話１−２を利用するユーザＢの操作により、アクセス制御設定手段３１を制御することで（例えば、全てのＵＲＬを許可する旨の情報を、アクセス制御実行手段４０に送信する）、ステップＳ６０７〜Ｓ６１１において、アクセス制御実行手段４０によるアクセス制御がなされないようにし、全てのＷｅｂページへのアクセスを許可することができる。これにより、未成年のユーザＣでなく成人であるユーザＢ自身が情報端末を利用する場合に、全てのＷｅｂページへのアクセスが可能となる。
【００５９】
また、ユーザＢの操作により、アクセス制御設定手段３１を制御することで、全てのＷｅｂページへのアクセスを許可する設定から、アクセス可能ＵＲＬリスト６２に基づいてアクセス制御を行う設定へ、設定を戻すこともできる。
【００６０】
（第１の実施の形態による効果）
本実施の形態によれば、所定の携帯電話の在圏状況に応じて自動的にアクセス制御の度合いを変更することで、柔軟なアクセス制御を行うことが出来る。
【００６１】
例えば、親、成人した大学生の兄、未成年で中学生の弟から構成される家族がおり、弟が宅内にあるＰＣを用いてインターネットへのアクセスを試みる場面を想定する。
【００６２】
宅内に弟だけしかいない場合には、インターネットへのアクセスを一切禁止することで、未成年である弟が不適切なＷｅｂサイトにアクセスしてしまうことを防止する。
【００６３】
宅内に弟に加えて兄もいる場合には、成人である兄が付き添っていることから一部のＷｅｂサイトだけアクセスを許可する。
【００６４】
宅内に弟と親がいる場合には、子供の教育に責任を持つ親が付き添っていることから、宅内に弟と兄がいる場合よりもアクセス制限の度合いを緩和してより多くのＷｅｂサイトへのアクセスを許可する。
【００６５】
宅内に弟と兄と親がいる場合には、さらにアクセス制限の度合いを緩和してより多くのＷｅｂサイトへのアクセスを許可する、という柔軟なアクセス制御が可能となる。
【００６６】
（第２の実施の形態）
次に、本発明の第２の実施の形態について説明する。
【００６７】
図８は、本発明の第２の実施の形態の構成を示すブロック図である。
【００６８】
本実施の形態では、第１の実施の形態においてフェムト基地局３内に配置されていた、アクセス制御設定手段３１と、アクセス状況通知手段３２と、登録端末記憶手段３３と、アクセス制御ルール記憶手段３４と、アクセス履歴記憶手段３５とが、ＲＡＮ−ＧＷ９内にアクセス制御設定手段９１と、アクセス状況通知手段３２９２と、登録端末記憶手段９３と、アクセス制御ルール記憶手段９４と、アクセス履歴記憶手段９５として設けられている。
【００６９】
また、ＲＡＮ−ＧＷ９に在圏情報管理手段９０が追加されている。
【００７０】
このように、第１の実施の形態ではフェムト基地局３で行われていた在圏情報の管理と在圏情報を利用したアクセス制御の設定とアクセス状況の通知が、第２の実施の形態ではＲＡＮ−ＧＷ９で行われる。
【００７１】
また、ＲＡＮ−ＧＷ９の配下には複数のフェムト基地局３が存在するため、表形式の登録端末の情報や表形式のアクセス制御ルールに対する参照や更新を行う際に、フェムト基地局３を識別するためにフェムト基地局ＩＤ５０およびフェムト基地局ＩＤ６０が利用される。
【００７２】
（第２の実施の形態の動作の説明）
本実施の形態では、図６に示す第１の実施の形態の動作において、図９に示す様に、ステップＳ６０１’、Ｓ６０２’の部分が異なる。図７の動作は本実施の形態においても同様であるため図示は省略する。
【００７３】
図９を参照すると、まず、在圏情報管理手段３０が、携帯電話１のマクロ基地局からのハンドオーバ要求を処理することで、該携帯電話１のフェムトセル在圏エリア６への在圏を検出し、検出した携帯電話の登録端末ＩＤ５１と、フェムト基地局３のフェムト基地局ＩＤ５０とを在圏情報管理手段９０に通知する（ステップＳ６０１’）。
【００７４】
次いで、在圏情報管理手段９０が、通知されたフェムト基地局ＩＤ５０と登録端末ＩＤ５１に対応する在圏状態５２を「圏外」から「在圏」に更新する。
【００７５】
（第２の実施の形態による効果）
本実施の形態によれば、在圏情報の管理と在圏情報を利用したアクセス制御の設定とアクセス状況の通知をＲＡＮ−ＧＷ９で一元的に行うため、各フェムト基地局それぞれにおいてアクセス制御のための機能を設ける必要がなくなり、コストを削減することができる。
【００７６】
（第３の実施の形態）
次に、本発明の第３の実施の形態について説明する。
【００７７】
第１の実施の形態及び第２の実施の形態では、ＢＢルータ４内にアクセス制御実行手段４０が配置されていたが、本実施の形態では、情報端末５内にアクセス制御実行手段４０が配置されている（図示は省略する）。
【００７８】
これを実現するには、アクセス制御実行手段４０が持つ機能をソフトウェアとして実装し、情報端末５にインストールして利用すればよい。
【００７９】
（第３の実施の形態の動作の説明）
携帯電話の在圏状態に応じて、特定されるアクセス可能ＵＲＬリスト６２がどのように変わるかを、図４を参照しつつ具体例を用いて説明する。
【００８０】
携帯電話１−１も携帯電話１−２もフェムトセル圏内エリアに在圏しない場合には、「無し」が記載されたアクセス可能ＵＲＬリスト６２が特定される。
【００８１】
携帯電話１−１だけがフェムトセル圏内エリアに在圏する場合には、「ｈｔｔｐ：／／ａａａ．ｃｏｍ／ｂｂｂ，ｈｔｔｐ：／／ｃｃｃ．ｃｏｍ」が記載されたアクセス可能ＵＲＬリスト６２が特定される。
【００８２】
携帯電話２だけがフェムトセル圏内エリアに在圏する場合には、「ｈｔｔｐ：／／ａａａ．ｃｏｍ／ｂｂｂ，ｈｔｔｐ：／／ｃｃｃ．ｃｏｍ，ｈｔｔｐ：／／ｄｄｄ．ｃｏｍ，ｈｔｔｐ：／／ｅｅｅ．ｃｏｍ」が記載されたアクセス可能ＵＲＬリスト６２が特定される。
【００８３】
携帯電話１−１も携帯電話１−２もフェムトセル圏内エリアに在圏する場合には、「ｈｔｔｐ：／／ａａａ．ｃｏｍ／ｂｂｂ，ｈｔｔｐ：／／ｃｃｃ．ｃｏｍ，ｈｔｔｐ：／／ｄｄｄ．ｃｏｍ，ｈｔｔｐ：／／ｅｅｅ．ｃｏｍ，ｈｔｔｐ：／／ｆｆｆ．ｃｏｍ，ｈｔｔｐ：／／ｇｇｇ．ｃｏｍ，ｈｔｔｐ：／／ｈｈｈ．ｃｏｍ，ｈｔｔｐ：／／ｉｉｉ．ｃｏｍ」が記載されたアクセス可能ＵＲＬリスト６２が特定される。
【００８４】
このように、ユーザＡやユーザＢが利用する携帯電話の在圏情報を用いて、ユーザＣが利用する情報端末がアクセス可能なＷｅｂサイトの数を柔軟に変更できる。
【００８５】
（第３の実施の形態による効果）
本実施の形態によれば、第１及び第２の実施の形態に比べ、ＢＢルータ４の構造を簡略化できる。
【００８６】
なお、本発明の各手段は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを実行することにより、ソフトウェア的に実現することも可能である。
【００８７】
以上好ましい実施の形態をあげて本発明を説明したが、本発明は必ずしも、上記実施の形態に限定されるものでなく、その技術的思想の範囲内において様々に変形して実施することができる。
【００８８】
なお、以上の構成要素の任意の組合せ、本発明の表現を方法、装置、システム、記録媒体、コンピュータプログラムなどの間で変換したものもまた、本発明の態様として有効である。
【００８９】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００９０】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【００９１】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【００９２】
さらに、上記実施形態の一部又は全部は、以下の付記のようにも記載されうるが、これに限定されない。
【００９３】
（付記１）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含み、
前記フェムト基地局が、
フェムトセル圏内における前記携帯電話の在圏状態を検出する在圏情報管理手段と、
携帯電話の在圏状態に基づいて前記情報端末に対するアクセス制御ルールを特定するアクセス制御設定手段と、
前記ブロードバンドルータが、
前記アクセス制御設定手段からのアクセス制御ルールに基づいて前記情報端末によるアクセスを制御するアクセス制御実行手段を備える
ことを特徴とするアクセス制御システム。
【００９４】
（付記２）
前記フェムト基地局が、
フェムトセル圏内に在圏可能な前記携帯電話の情報を記憶する登録端末記憶手段と、
前記携帯電話の在圏状態に対応して前記情報端末がアクセス可能なアクセス先を前記アクセス制御ルールとして記憶するアクセス制御ルール記憶手段を備え、
前記アクセス制御設定手段は、
前記携帯電話の在圏状態に応じた前記アクセス制御ルールを前記アクセス制御ルール記憶手段から特定することを特徴とする付記１に記載のアクセス制御システム。
【００９５】
（付記３）
前記ブロードバンドルータのアクセス制御実行手段は、
前記情報端末からアクセス要求のあったアクセス先が、前記アクセス制御ルールで許可されているかどうかを判定することにより、アクセスを制御することを特徴とする付記２に記載のアクセス制御システム。
【００９６】
（付記４）
前記フェムト基地局が、
前記情報端末によるアクセス状況をアクセス履歴として記憶するアクセス履歴記憶手段と、
前記情報端末によるアクセスの状況を前記携帯電話に通知するアクセス状況通知手段とを備えることを特徴とする付記１から付記３の何れか１項に記載のアクセス制御システム。
【００９７】
（付記５）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含み、
前記フェムト基地局が、
フェムトセル圏内における前記携帯電話の在圏状態を検出する在圏情報管理手段を備え、
前記ゲートウェイが、
携帯電話の在圏状態に基づいて前記情報端末に対するアクセス制御ルールを特定するアクセス制御設定手段を備え、
前記ブロードバンドルータが、
前記アクセス制御設定手段からのアクセス制御ルールに基づいて前記情報端末によるアクセスを制御するアクセス制御実行手段を備える
ことを特徴とするアクセス制御システム。
【００９８】
（付記６）
前記ゲートウェイが、
フェムトセル圏内に在圏可能な前記携帯電話の情報を記憶する登録端末記憶手段と、
前記携帯電話の在圏状態に対応して前記情報端末がアクセス可能なアクセス先を前記アクセス制御ルールとして記憶するアクセス制御ルール記憶手段を備え、
前記アクセス制御設定手段は、
前記携帯電話の在圏状態に応じた前記アクセス制御ルールを前記アクセス制御ルール記憶手段から特定することを特徴とする付記５に記載のアクセス制御システム。
【００９９】
（付記７）
前記ブロードバンドルータのアクセス制御実行手段は、
前記情報端末からアクセス要求のあったアクセス先が、前記アクセス制御ルールで許可されているかどうかを判定することにより、アクセスを制御することを特徴とする付記６に記載のアクセス制御システム。
【０１００】
（付記８）
前記ゲートウェイが、
前記情報端末によるアクセス状況をアクセス履歴として記憶するアクセス履歴記憶手段と、
前記情報端末によるアクセスの状況を前記携帯電話に通知するアクセス状況通知手段とを備えることを特徴とする付記５から付記７の何れか１項に記載のアクセス制御システム。
【０１０１】
（付記９）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含み、
前記フェムト基地局が、
フェムトセル圏内における前記携帯電話の在圏状態を検出する在圏情報管理手段を備え、
前記フェムト基地局又は前記ゲートウェイが、
携帯電話の在圏状態に基づいて前記情報端末に対するアクセス制御ルールを特定するアクセス制御設定手段を備え、
前記情報端末が、
前記アクセス制御設定手段からのアクセス制御ルールに基づいて前記情報端末によるアクセスを制御するアクセス制御実行手段を備える
ことを特徴とするアクセス制御システム。
【０１０２】
（付記１０）
前記フェムト基地局又は前記ゲートウェイが、
フェムトセル圏内に在圏可能な前記携帯電話の情報を記憶する登録端末記憶手段と、
前記携帯電話の在圏状態に対応して前記情報端末がアクセス可能なアクセス先を前記アクセス制御ルールとして記憶するアクセス制御ルール記憶手段を備え、
前記アクセス制御設定手段は、
前記携帯電話の在圏状態に応じた前記アクセス制御ルールを前記アクセス制御ルール記憶手段から特定することを特徴とする付記９に記載のアクセス制御システム。
【０１０３】
（付記１１）
前記アクセス制御実行手段は、
前記情報端末からアクセス要求のあったアクセス先が、前記アクセス制御ルールで許可されているかどうかを判定することにより、アクセスを制御することを特徴とする付記１０に記載のアクセス制御システム。
【０１０４】
（付記１２）
前記フェムト基地局又は前記ゲートウェイが、
前記情報端末によるアクセス状況をアクセス履歴として記憶するアクセス履歴記憶手段と、
前記情報端末によるアクセスの状況を前記携帯電話に通知するアクセス状況通知手段とを備えることを特徴とする付記５から付記７の何れか１項に記載のアクセス制御システム。
【０１０５】
（付記１３）
前記アクセス制御実行手段が、前記情報端末にインストールされた制御ソフトウェアとして実装される
ことを特徴とする付記９に記載のアクセス制御システム。
【０１０６】
（付記１４）
設定変更権限を設定した携帯電話からの操作により、前記アクセス制御設定手段を制御することで、前記アクセス制御実行手段によるアクセスの制御がなされないようにする
ことを特徴とする付記１、付記５、付記９の何れかに記載の在圏情報利用アクセス制御システム。
【０１０７】
（付記１５）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステムのアクセス制御方法であって、
前記フェムト基地局が、
フェムトセル圏内における前記携帯電話の在圏状態を検出し、
携帯電話の在圏状態に基づいて前記情報端末に対するアクセス制御ルールを特定し、
前記ブロードバンドルータが、
特定したアクセス制御ルールに基づいて前記情報端末によるアクセスを制御する
ことを特徴とするアクセス制御方法。
【０１０８】
（付記１６）
前記フェムト基地局が、フェムトセル圏内に在圏可能な前記携帯電話の情報を記憶する登録端末記憶手段と、前記携帯電話の在圏状態に対応して前記情報端末がアクセス可能なアクセス先を前記アクセス制御ルールとして記憶するアクセス制御ルール記憶手段を備え、
前記アクセス制御ルールを特定するステップで、
前記携帯電話の在圏状態に応じた前記アクセス制御ルールを前記アクセス制御ルール記憶手段から特定することを特徴とする付記１５に記載のアクセス制御方法。
【０１０９】
（付記１７）
前記アクセスを制御するステップで、
前記情報端末からアクセス要求のあったアクセス先が、前記アクセス制御ルールで許可されているかどうかを判定することにより、アクセス制御の実行を行うことを特徴とする付記１６に記載のアクセス制御方法。
【０１１０】
（付記１８）
前記フェムト基地局が、
前記情報端末によるアクセス状況をアクセス履歴として記憶し、
前記情報端末によるアクセスの状況を前記携帯電話に通知することを特徴とする付記１５から付記１７の何れか１項に記載のアクセス制御方法。
【０１１１】
（付記１９）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステムのアクセス制御方法であって、
前記フェムト基地局が、
フェムトセル圏内における前記携帯電話の在圏状態を検出し、
前記ゲートウェイが、
携帯電話の在圏状態に基づいて前記情報端末に対するアクセス制御ルールを特定し、
前記ブロードバンドルータが、
特定したアクセス制御ルールに基づいて前記情報端末によるアクセスを制御する
ことを特徴とするアクセス制御方法。
【０１１２】
（付記２０）
前記ゲートウェイが、
フェムトセル圏内に在圏可能な前記携帯電話の情報を記憶する登録端末記憶手段と、前記携帯電話の在圏状態に対応して前記情報端末がアクセス可能なアクセス先を前記アクセス制御ルールとして記憶するアクセス制御ルール記憶手段を備え、
前記アクセス制御ルールを特定するステップで、
前記携帯電話の在圏状態に応じた前記アクセス制御ルールを前記アクセス制御ルール記憶手段から特定することを特徴とする付記１９に記載のアクセス制御方法。
【０１１３】
（付記２１）
前記アクセスを制御するステップで、
前記情報端末からアクセス要求のあったアクセス先が、前記アクセス制御ルールで許可されているかどうかを判定することにより、アクセス制御の実行を行うことを特徴とする付記２０に記載のアクセス制御方法。
【０１１４】
（付記２２）
前記ゲートウェイが、
前記情報端末によるアクセス状況をアクセス履歴として記憶し、
前記情報端末によるアクセスの状況を前記携帯電話に通知することを特徴とする付記１９から付記２１の何れか１項に記載のアクセス制御方法。
【０１１５】
（付記２３）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステムのアクセス制御方法であって、
前記フェムト基地局が、
フェムトセル圏内における前記携帯電話の在圏状態を検出し、
前記フェムト基地局又は前記ゲートウェイが、
携帯電話の在圏状態に基づいて前記情報端末に対するアクセス制御ルールを特定し、
前記情報端末が、
前記アクセス制御設定手段からのアクセス制御ルールに基づいて前記情報端末によるアクセスを制御する
ことを特徴とするアクセス制御方法。
【０１１６】
（付記２４）
前記フェムト基地局又は前記ゲートウェイが、
フェムトセル圏内に在圏可能な前記携帯電話の情報を記憶する登録端末記憶手段と、前記携帯電話の在圏状態に対応して前記情報端末がアクセス可能なアクセス先を前記アクセス制御ルールとして記憶するアクセス制御ルール記憶手段を備え、
前記アクセス制御ルールを特定するステップで、
前記携帯電話の在圏状態に応じた前記アクセス制御ルールを前記アクセス制御ルール記憶手段から特定することを特徴とする付記２３に記載のアクセス制御方法。
【０１１７】
（付記２５）
前記アクセスを制御するステップで、
前記情報端末からアクセス要求のあったアクセス先が、前記アクセス制御ルールで許可されているかどうかを判定することにより、アクセス制御の実行を行うことを特徴とする付記２４に記載のアクセス制御方法。
【０１１８】
（付記２６）
前記フェムト基地局又は前記ゲートウェイが、
前記情報端末によるアクセス状況をアクセス履歴として記憶し、
前記情報端末によるアクセスの状況を前記携帯電話に通知することを特徴とする付記２３から付記２５の何れか１項に記載のアクセス制御方法。
【０１１９】
（付記２７）
不在時に通知する設定がなされている携帯電話に対して、前記情報端末によるアクセスの状況を通知することを特徴とする付記１８、付記２２、付記２６の何れかに記載のアクセス制御方法。
【０１２０】
（付記２８）
前記アクセスを制御するステップにおいて、
前記情報端末からのアクセス要求のＩＰパケットの中身を参照してＵＲＬを特定し、前記アクセス制御ルールに含まれるＵＲＬのいずれかが前記特定したＵＲＬに前方一致する否かによってアクセスを許可または拒否する
ことを特徴とする付記１５、付記１９、付記２３の何れかに記載のアクセス制御方法。
【０１２１】
（付記２９）
前記情報端末によるアクセスの状況を通知するステップにおいて、
情報端末からのアクセス要求を検出する度に通知を行う
ことを特徴とする付記１８、付記２２、付記２６の何れかに記載のアクセス制御方法。
【０１２２】
（付記３０）
前記情報端末によるアクセスの状況を通知するステップにおいて、
所定の時間間隔で未通知のアクセス履歴が溜まっているか調査し、溜まっている場合に通知を行う
ことを特徴とする付記１８、付記２２、付記２６の何れかに記載のアクセス制御方法。
【０１２３】
（付記３１）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステム上でアクセス制御を行うアクセス制御プログラムであって、
前記フェムト基地局に、
フェムトセル圏内における前記携帯電話の在圏状態を検出する処理と、
携帯電話の在圏状態に基づいて前記情報端末に対するアクセス制御ルールを特定する処理を実行させ、
前記ブロードバンドルータに、
特定したアクセス制御ルールに基づいて前記情報端末によるアクセスを制御する処理を実行させる
ことを特徴とするアクセス制御プログラム。
【０１２４】
（付記３２）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステム上でアクセス制御を行うアクセス制御プログラムであって、
前記フェムト基地局に、
フェムトセル圏内における前記携帯電話の在圏状態を検出する処理を実行させ、
前記ゲートウェイに、
携帯電話の在圏状態に基づいて前記情報端末に対するアクセス制御ルールを特定する処理を実行させ、
前記ブロードバンドルータに、
特定したアクセス制御ルールに基づいて前記情報端末によるアクセスを制御する処理を実行させる
ことを特徴とするアクセス制御プログラム。
【０１２５】
（付記３３）
１以上の携帯電話と、携帯電話と無線による通信を行うフェムト基地局と、フェムト基地局と接続されるブロードバンドルータと、ブロードバンドルータと接続される携帯電話網のゲートウェイと、前記ブロードバンドルータに接続され、インターネットへのアクセスを行う１以上の情報端末とを含むシステム上でアクセス制御を行うアクセス制御プログラムであって、
前記フェムト基地局に、
フェムトセル圏内における前記携帯電話の在圏状態を検出する処理を実行させ、
前記フェムト基地局又は前記ゲートウェイに、
携帯電話の在圏状態に基づいて前記情報端末に対するアクセス制御ルールを特定する処理を実行させ、
前記情報端末に、
前記アクセス制御設定手段からのアクセス制御ルールに基づいて前記情報端末によるアクセスを制御する処理を実行させる
ことを特徴とするアクセス制御プログラム。
【０１２６】
この出願は、２０１１年２月２２日に出願された日本出願特願２０１１−０３５５３６を基礎とする優先権を主張し、その開示の全てをここに取り込む。
【産業上の利用可能性】
【０１２７】
本発明によれば、家庭の宅内に設置したフェムト基地局における携帯電話の在圏情報を用いて、宅内の情報端末がアクセス可能なＷｅｂサイトの数を柔軟に変更できる。
【図１】
2012114922.tif 000003
【図２】
2012114922.tif 000004
【図３】
2012114922.tif 000005
【図４】
2012114922.tif 000006
【図５】
2012114922.tif 000007
【図６】
2012114922.tif 000008
【図７】
2012114922.tif 000009
【図８】
2012114922.tif 000010
【図９】
2012114922.tif 000011
【国際調査報告】
2012114922.tif 000012
2012114922.tif 000013